(57)【要約】【課題】海洋接触カラムにおいてランダム充填物を使用することに関する欠点を解消することを可能にする。【解決手段】本発明は、数個の区画においてランダム充填物Ａ構成を有する接触装置３に関する。各区画は、有孔板Ｐまたは構造化充填物の壁Ｂによって区画されてもよい。本発明は、熱交換カラム、浮体構造、およびそのような接触装置を備えたカラムの使用に関する。【選択図】図２
2015167948.tif 000002
【特許請求の範囲】
【請求項１】
２つの流体間の熱交換および物質交換の少なくとも一方を対象とするカラム用の接触装置（３）であって、ランダム充填物（Ａ）を有する接触装置（３）において、
前記ランダム充填物（Ａ）は、当該接触装置（３）の軸線方向に当該ランダム充填物を分割する少なくとも１枚の壁によって仕切られる数個の区画間に分散されることを特徴とする接触装置。
【請求項２】
前記区画は、実質的に平行６面体状である、円筒状である、角柱状である、および、円筒の一部分の形状を有する、という特徴のうち少なくともいずれかの特徴を有する、請求項１に記載の接触装置。
【請求項３】
少なくとも１枚の壁は、構造化充填物（Ｂ）から成る、請求項１または２に記載の接触装置。
【請求項４】
前記構造化充填物（Ｂ）の幾何学的比表面積は、１２５ｍ２／ｍ３から７５０ｍ２／ｍ３の間の範囲であり、好ましくは実質的に２５０ｍ２／ｍ３に等しい、請求項３に記載の接触装置。
【請求項５】
少なくとも１枚の壁は、有孔板である、請求項１から４のいずれか１項に記載の接触装置。
【請求項６】
前記区画は実質的に平行６面体状であり、前記壁は、水平面において実質的に互いに垂直な帯状部を形成する、請求項１から５のいずれか１項に記載の接触装置。
【請求項７】
前記区画は、実質的に円筒状であり、前記壁は、水平面において実質的に同心状の円を形成する、請求項１から６のいずれか１項に記載の接触装置。
【請求項８】
前記接触装置（３）の外周部は、構造化充填物（Ｂ）の壁によって形成される、請求項１から７のいずれか１項に記載の接触装置。
【請求項９】
気体と液体との間の熱交換および物質交換の少なくとも一方を対象とするカラムであって、前記気体および前記液体は、請求項１から８のいずれか１項に記載の少なくとも１つの接触装置によって接触させられるカラム。
【請求項１０】
特に炭化水素捕捉用の浮体構造であって、請求項９に記載の気体と液体との間の熱交換および物質交換の少なくとも一方を対象とする少なくとも１つのカラム（１）を有することを特徴とする浮体構造。
【請求項１１】
請求項９に記載のカラムを、ガス処理プロセス、ＣＯ２捕捉プロセス、蒸留プロセス、または空気転換プロセスにおいて用いるカラムの使用方法。
【発明の詳細な説明】
【技術分野】
【０００１】
本発明は、海洋の気液接触カラムの分野に関し、特に海洋のガス処理ユニット、ＣＯ２捕捉ユニット、脱水ユニット、または蒸留ユニットに関する。
【背景技術】
【０００２】
アミン洗浄プロセスを使用する海洋のガス処理ユニットおよびＣＯ２捕捉ユニットの少なくとも一方は、液体状または気体状の流体を吸収および再生する複数の吸収・再生カラムを有する。これらのカラムは、気体／液体の流れが向流または並流である条件の下で動作し、ＦＰＳＯ（浮体式海洋石油・ガス生産貯蔵積出設備）型またはＦＬＮＧ（浮体式液化天然ガス）型の船舶、フローティングバージ、または海洋プラットフォーム上に設置される。フローティングバージは、複数の蒸留カラムまたは脱水カラムも有する。
【０００３】
これらの海洋のガス処理ユニットとＣＯ２捕捉ユニットと蒸留ユニットと脱水ユニットとのうちの少なくとも１つにおいて使用されるカラムは一般に、カラム内を循環する気体と流体との間の、物質交換および熱交換の少なくとも一方の原理に基づく。接触カラムは一般に、流体同士の間の交換を促進する内部接触部材を備えた円筒状の囲い（enclosure）から成る。接触表面積を増大させる接触部材（接触装置）は、構造化充填物、ランダム充填物、またはトレイであってもよい。図１は、カラム頂部に分配トレイを備えたガス処理カラム（１）の特定のケースを示す。この例では、気体（Ｇ）および液体（Ｌ）が向流として循環する。従来、このガス処理カラム（１）は、接触装置によって充填された数個の部分３を有し、分配トレイ２が各接触装置の上方に配置される。気体／液体接触装置は、気体Ｇを液体Ｌと接触させて交換を可能にする。
【０００４】
対象となる気体／液体接触カラムは、波動の影響を受けやすい、たとえば船舶型、プラットフォーム型、またはバージ型の浮体構造上に配置される。したがって、これらのユニット、特に気体／液体分配トレイおよび接触装置上に設置される機器、は、最大で６度の自由度（船首揺、縦揺、横揺、上下揺、左右揺、スラスト）の波動を受ける。
【０００５】
特徴的なデータとして、縦揺と横揺の組合せに関連する角度は＋／−５°程度であり、周期は１５ｓから２０ｓの範囲である。カラムに生じる縦加速度、横加速度、および鉛直加速度の大きさはそれぞれ、カラムが配置されたデッキの６ｍ上方における、０．２４／０．７６／０．２５ｍ／ｓ２と、カラムが配置されたデッキの５０ｍ上方における、０．３３／１．２８／０．３３ｍ／ｓ２との間の範囲である。そのような条件の下では、従来の接触カラムの動作が著しく阻害されることがある。実際、波動の影響を受ける状態では、カラムが傾斜することによってカラム部分内における位相分布の均一性が低下する。
【０００６】
充填物層内におけるこの不十分な分布が調整されなければ、接触カラムの性能を実質的に低下させることがある。この種の問題を回避するために、様々な適切な構造化充填物の積層体が開発されている。
【０００７】
たとえば、特許文献１は、充填物部分の仕切りを有する接触装置の実施形態を開示している。第１の実施形態では、充填物部分は有孔壁によって仕切られる。したがって、カラムは構造化充填物を備えた数個の区画（compartment）で構成される。第２の実施形態では、各充填物部分は他の部分に垂直に隣接し、したがって、カラムの全体は、複数の構造化充填物部分で構成される。
【０００８】
さらに、特許文献２は、カラムの軸方向において、各充填物部分の組立体が中央の充填物部分本体を囲むように構造化充填物部材を配置した接触装置の実施形態を開示している。しかし、この実装形態は複雑である。
【０００９】
その他に、特許文献３および特許文献４は、充填物層がそれぞれに異なる幾何学的面積を有する２種類の充填物から成る接触装置の実施形態を開示している。この特許によれば、それぞれに異なる面積を有する充填物層は、カラムの軸方向または半径方向に重ね合わされてもよい。特許文献３および特許文献４では、カラムの各部分が数個の充填物部分に分割されることはなく、したがって、三次元で波動の影響を受ける状況下では、これらの実施形態は、液体が左右に変位することをすべての方向において防止することはできない。したがって、これらの実施形態は、海洋環境において液相および気相の良好な分布を実現することができない。
【００１０】
これらの解決手段は一般に、ランダム充填物よりも海洋環境の影響を受けにくいという利点をもたらす構造化充填物によって実現される。ここで、ランダム充填物は、伝達効率、圧力降下の低さ、および設置の容易さに関しても興味深い特性を有する。
【先行技術文献】
【特許文献】
【００１１】
【特許文献１】米国特許出願第５４８６３１８号
【特許文献２】米国特許出願第５９８４２８２号
【特許文献３】米国特許出願第７５５９５３９号
【特許文献４】米国特許出願第７５５９５４０号
【特許文献５】ヨーロッパ特許出願第１４７８４５７号
【特許文献６】ＷＯ２００８／０６７０３１
【特許文献７】フランス特許第２９１３３５３号（米国特許出願第２０１０／０２１３６２５号）
【特許文献８】米国特許第３６７９５３７号
【特許文献９】米国特許第４２９６０５０号
【発明の概要】
【発明が解決しようとする課題】
【００１２】
本発明は、海洋接触カラムにおいてランダム充填物を使用することに関する欠点を解消することを可能にする。本発明による接触装置は、数個の区画においてランダム充填物構成を有し、それによって、接触カラムにおいて良好な分布均一性を実現し、したがって、海洋環境においてランダム充填物によってもたらされる利点の恩恵を受けることを可能にする。各区画は、有孔板または構造化充填物から成る壁によって仕切られる。本発明はさらに、特にカラムが傾斜した場合であっても、その傾斜方向に関わらず、カラムが円滑に動作することを可能にする。
【課題を解決するための手段】
【００１３】
本発明は、２つの流体間の熱交換および物質交換の少なくとも一方を対象とするカラム用の接触装置であって、ランダム充填物を有する接触装置に関する。ランダム充填物は、少なくとも１枚の壁によって仕切られる数個の区画間で分散される。
【００１４】
本発明によれば、各区画の形状は、実質的に、平行６面体状である、円筒状である、角柱状である、および、円筒の一部分の形状を有する、という特徴のうち、少なくとも１つの特徴を有する。
【００１５】
少なくとも１枚の壁は、構造化充填物から成ることが有利である。
【００１６】
構造化充填物の幾何学的比表面積は１２５ｍ２／ｍ３から７５０ｍ２／ｍ３の間の範囲であることが好ましく、実質的に２５０ｍ２／ｍ３に等しいことが好ましい。
【００１７】
さらに、少なくとも１枚の壁は有孔板であってもよい。
【００１８】
本発明の一実施態様によれば、各区画は実質的に平行四辺形であり、各壁は、水平面において実質的に互いに垂直な帯状部を形成する。
【００１９】
代替として、各区画は、実質的に円筒状であり、各壁は、水平面において実質的に同心状の円を形成する。
【００２０】
接触装置の外周部は、構造化充填物の壁によって形成されることが有利である。
【００２１】
さらに、本発明は、気体と液体との間の熱交換および物質交換の少なくとも一方を対象とするカラムであって、２つの流体が、本発明による少なくとも１つの接触装置によって接触させられるカラムに関する。
【００２２】
本発明は、特に炭化水素捕捉用の浮体構造であって、本発明による気体と液体との間の熱交換および物質交換の少なくとも一方を対象とする少なくとも１つのカラムを有する浮体構造にも関する。
【００２３】
さらに、本発明は、ガス処理プロセス、ＣＯ２捕捉プロセス、蒸留プロセス、または空気転換プロセスにおける本発明によるカラムの使用方法に関する。
【発明の効果】
【００２４】
本発明によれば、海洋接触カラムにおいてランダム充填物を使用することに関する欠点を解消することが可能である。
【図面の簡単な説明】
【００２５】
【図１】前述した、カラム頂部に分配トレイを備えたガス処理カラムまたはＣＯ２捕捉カラムの特定のケースを示す図である。
【図２】本発明による接触装置についての、有孔板によって仕切られた各区画の配置の一実施形態を示す図である。
【図３】本発明による接触装置についての、有孔板によって仕切られた各区画の配置の一変形実施形態を示す図である。
【図４】本発明による接触装置についての、有孔板によって仕切られた各区画の配置の一変形実施形態を示す図である。
【図５】本発明による接触装置についての、構造化充填物によって仕切られた各区画の配置の一実施形態を示す図である。
【図６】本発明による接触装置についての、構造化充填物によって仕切られた各区画の配置の一変形実施形態を示す図である。
【図７】本発明による接触装置についての、構造化充填物によって仕切られた各区画の配置の一変形実施形態を示す図である。
【図８】本発明による接触装置についての、構造化充填物によって仕切られた各区画の配置の一変形実施形態を示す図である。
【図９】本発明による接触装置についての、構造化充填物によって仕切られた各区画の配置の一変形実施形態を示す図である。
【図１０】本発明による接触装置についての、構造化充填物によって仕切られた各区画の配置の一変形実施形態を示す図である。
【発明を実施するための形態】
【００２６】
本発明による方法の他の特徴および利点は、添付の各図を参照して非制限的な例として与えられる実施形態についての以下の説明から明らかになるだろう。
【００２７】
本発明は、２つの流体間の熱交換および物質交換の少なくとも一方を対象とするカラム用の接触装置に関する。接触装置は、２つの流体を接触させることを可能にして２つの流体間の熱交換および物質交換の少なくとも一方を推進する部材である。本発明による接触装置は、各ランダム充填物を含む数個の区画を有する。
【００２８】
ランダム充填物と呼ばれるものは、特定の形状、たとえば、リング、螺旋などを有するユニット部材の無秩序で無作為の積層体で構成される。熱交換および物質交換の少なくとも一方は、これらのユニット部材内で生じる。各部材は、金属、セラミック、プラスチック、または同様の物質で構成されてもよい。特許文献５および特許文献６は、ランダム充填物ユニット部材の２つの例について説明している。ランダム充填物は、伝達効率、圧力降下の低さ、および設置の容易さに関して興味深い特性を有する。
【００２９】
本発明によれば、接触装置は、各々が複数のランダム充填物を含む複数の区画を有している。本発明の基本的な原則は、ランダム充填物層をカラムの軸線方向、すなわち、接触装置の軸線方向に分割して数個のランダム充填物の区画を得ることである。各区画は、複数の有孔板と複数の構造化充填物の少なくとも一方で構成された壁によって仕切られている。各壁は、カラムの軸線およびランダム充填物層の軸線に実質的に相当する接触装置の軸線に実質的に平行である。ランダム充填物部分を壁（有孔板と構造化充填物の少なくとも一方）によって仕切られた数個の層（区画）に分割すると、特にうねりに関係する動きによってカラムが傾斜している状態で、大量の液体が左右に変位することまたは充填物内に液体の優先経路が形成されることを防止することができる。実際、壁（有孔板と構造化充填物の少なくとも一方）は、液相および気相の慣性および左右の変位を減衰／減速させることを可能にし、したがって、充填物層において良好な相分布均一性および一様性を実現する。さらに、カラムの傾斜もランダム充填物の変位を生じさせることがあるので、各区画はランダム充填物のこのような変位を制限することを可能にする。
【００３０】
各区画は、実質的に平行６面体状、円筒状、角柱状であるか、または円筒の一部分の形状を有していることが有利である。各区画は、壁（有孔板と構造化充填物の少なくとも一方）に囲まれていることが有利である。区画は、接触装置の外周部に配置されると、有孔板と構造化充填物で構成された壁の少なくとも一方およびカラム（カラムシェル）に囲まれる。複数の区画の形をした接触装置のレイアウトは、すべての方向における流体の慣性および変位を減衰／減速させることを可能にする。
【００３１】
第１の実施形態によれば、区画は複数の有孔板によってのみ仕切られる。ランダム充填物部分が有孔板によって仕切られるこの実施形態では、複数の孔が、壁の各側の圧力の釣り合い、したがって、様々な区画間の圧力の釣り合いをとることを可能にする。各有孔板は、たとえば金属で作られている。
【００３２】
図２〜図４は、（複数の有孔板を有する）本発明の第１の実施形態の様々なバリエーションを示している。各図は、構造化充填物構成の水平面における図に相当する。これらの図では、ランダム充填物はＡによって示され、有孔板はＰによって示されている。
【００３３】
図２および図３の例では、各区画は実質的に平行６面体状である。図示のように、各有孔板は、水平面において２つの方向に沿って配置されている。この２つの方向は、実質的に互いに垂直である。これらの変形実施形態では、ランダム充填物Ａの各区画は、各有孔板および場合によってはカラムφの外郭に囲まれている。図３の例は、図２の例よりも多くのブロックを有し、したがって、この変形実施形態は、直径の大きいカラムまたはより大きい傾斜を受けるカラムにより適している。これらの変形実施形態の一態様によれば、カラムφの直径は０．５ｍから１０ｍの間の範囲であり、ランダム充填物Ａの各区画の各寸法ＬＡ１およびＬＡ２は、０．２ｍから５ｍの間の範囲である。
【００３４】
図４の変形実施形態では、各区画は実質的に円筒状である。図示のように、各有孔板は水平面において同心円を形成する。連続する２枚の壁間の間隔は実質的に同一であってもよい。この変形実施形態では、実質的に頂部を形成する各ランダム充填物の区画Ａは、各有孔板および場合によってはカラムφの外郭に囲まれている。この変形実施形態の一態様によれば、カラムφの直径は、０．５ｍから１０ｍの間の範囲であり、各ランダム充填物の区画Ａの寸法、すなわち、ＬＡ３は０．２ｍから５ｍの間の範囲であり、ＬＡ５は０．１ｍから２．５ｍの間の範囲である。
【００３５】
本発明の第２の実施形態によれば、各区画は、構造化充填物の壁によって仕切られている。この構成は、各充填物に特有の利点を組み合わせ、熱交換カラムおよび物質交換カラムの少なくとも一方において良好な分布均一性および一様性を実現することを可能にする。
【００３６】
構造化充填物と呼ばれるものは、特に特許文献７、特許文献８、および特許文献９に記載されたように大きい複数のブロックの形で組織的に波形にされた複数のプレートまたは折り畳まれた複数のシートの積層体である。構造化充填物を構成する各プレートは、横断面において主方向を有する。したがって、主方向は、各プレートの構造によって画定される鉛直軸に垂直な方向である。構造化充填物は、与えられた代表直径に対して大きい幾何学的面積を与える利点をもたらす。
【００３７】
本発明によれば、構造化充填物を有する接触装置は、上下に積み重ねられた数個の構造化充填物層を有する。各流体間の交換を推進するために、接触装置の各層は、様々な主方向を有し、各主方向は好ましくは、互いに垂直である。各層の高さは０．１ｍから０．３ｍの間の範囲であってよく、好ましくは０．２１ｍに等しい。
【００３８】
構造化充填物の幾何学的比表面積は、充填物によって形成される全面積に相当し、この表面積は、体積単位当たりに利用可能な充填物の幾何学的表面積として表される。従来、構造化充填物は、１００ｍ２／ｍ３から７５０ｍ２／ｍ３の間の範囲の幾何学的比表面積を形成することがある。構造化充填物は、その幾何学的レイアウトの結果として、ランダム充填物と同じ水圧容量でランダム充填物の比表面積よりも大きい比表面積を形成する。本発明のこの実施形態では、構造化充填物の幾何学的比表面積は、１２５ｍ２／ｍ３から７５０ｍ２／ｍ３の間の範囲であり、好ましくは２５０ｍ２／ｍ３に等しい。
【００３９】
構造化充填物の比表面積は、ランダム充填物の比表面積よりも大きいので、ランダム充填物の区画を仕切る構造化充填物の壁は、液相および気相の慣性および左右の変位を減衰／減速させ、したがって、充填物層において良好な分布均一性および一様性を実現する。
【００４０】
図５〜図１１は、（構造化充填物の壁を有する）本発明の第２の実施形態の様々なバリエーションを示している。これらの図は、構造化充填物構成の垂直面における図に相当する。これらの図において、ランダム充填物はＡによって示されており、構造化充填物はＢによって示されている。
【００４１】
図５および図６の各実施形態では、各区画は実質的に平行６面体状である。さらに、構造化充填物Ｂで構成された各壁は、実質的に複数の帯状部の形状（すなわち、幅が水平面における長さよりもずっと小さい）を有する。図示のように、各帯状部は、水平面における２つの方向に沿って配置されている。この２つの方向は実質的に互いに垂直である。これらの変形実施形態では、各ランダム充填物の区画Ａは、構造化充填物の帯状部Ｂに囲まれ、かつ場合によってはカラムφの外郭に囲まれている。図６の例は、図５の例よりも多くのブロックを有し、したがって、この変形実施形態は、直径の大きいカラムまたはより大きい傾斜を受けるカラムにより適している。これらの変形実施形態の一態様によれば、カラムφの直径は０．５ｍから１０ｍの範囲であり、各ランダム充填物の区画Ａの寸法ＬＡ１およびＬＡ２は、それぞれ０．２ｍから５ｍの間の範囲であり、各構造化充填物の帯状部Ｂの寸法ＬＢ１およびＬＢ２は、それぞれ０．１ｍから２．５ｍの間の範囲である。たとえば、図６の実施形態では、各寸法は以下のように選択されてもよい。すなわち、カラムφの直径が４ｍであり、各ランダム充填物の区画Ａの寸法ＬＡ１およびＬＡ２がそれぞれ０．７５ｍであり、各構造化充填物の帯状部Ｂの寸法ＬＢ１およびＬＢ２がそれぞれ０．２ｍである。
【００４２】
図７および図８の各変形実施形態は、接触装置の外周部が構造化充填物Ｂで構成された図５および図６の各変形実施形態に相当する。第２の構造化充填物のブロックを外周部に配置すると、特にカラムの壁に液体を蓄積することが可能になる。構造化充填物Ｂで構成された各壁は、実質的に複数の帯状の形状を有している。図示のように、各帯状部は、水平面において２つの方向に沿って配置されている。この２つの方向は、実質的に互いに垂直である。これらの変形実施形態では、各ランダム充填物の区画Ａは、各構造化充填物Ｂによってのみ囲まれている。図８の例は、図７の例よりも多くのブロックを有し、したがって、この変形実施形態は、直径の大きいカラムまたはより大きい傾斜を受けるカラムにより適している。たとえば、カラムφの直径は０．５ｍから１０ｍの間の範囲であり、各ランダム充填物の区画Ａの寸法ＬＡ１およびＬＡ２は、それぞれ０．２ｍから５ｍの間の範囲であり、各構造化充填物の帯状部Ｂの寸法ＬＢ１およびＬＢ２は、それぞれ０．１ｍから２．５ｍの間の範囲であり、外周部壁ＬＢ３の寸法は０．１ｍから２．５ｍの間の範囲である。
【００４３】
図９の変形実施形態では、各区画は、水平面において実質的に円筒状（筒状）であり、各ランダム充填物および各構造化充填物の構成は、各ランダム充填物の区画Ａと各構造化充填物の壁Ｂが交互に配置された１組の同心円を形成する。この変形実施形態では、接触装置の中心は構造化充填物Ｂで構成され、接触装置は、構造化充填物Ｂから成る周辺壁を有している。したがって、各ランダム充填物の区画Ａは、構造化充填物Ｂに囲まれている。たとえば、カラムφの直径は、０．５ｍから１０ｍの間の範囲であり、各ランダム充填物の区画Ａの寸法ＬＡ３およびＬＡ４は、それぞれ０．２ｍから２．５ｍの間の範囲であり、各構造化充填物の帯状部Ｂの各寸法として、ＬＢ４は０．２ｍから１ｍの間の範囲であり、ＬＢ５およびＬＢ６は、０．１ｍから２．５ｍの間の範囲であり、外周部ブロックＬＢ３の寸法は０．１ｍから２．５ｍの間の範囲である。
【００４４】
図１０の変形実施形態では、ランダム充填物の区画の大部分および構造化充填物で構成された壁の大部分は、実質的に円筒状（筒状）であるか、または円筒（または筒）の一部分の形状を有し、区画の少数部分および壁の少数部分は、水平面において実質的に矩形である。ランダム充填物および構造化充填物の構成は、各ランダム充填物Ａと各構造化充填物Ｂが交互に配置された複数の円の同心部分（たとえば、実質的に４分の１円）の組を形成する。さらに、この構成は数個の矩形を有する。この構成は、充填物Ａと充填物Ｂの交互構成を形成する。この変形実施形態では、接触装置の中心が構造化充填物Ｂで構成され、接触装置は、構造化充填物Ｂから成る周辺壁を有している。したがって、各ランダム充填物の区画Ａは、構造化充填物の壁Ｂに囲まれている。図１０の例は、図９の例よりも多くの区画を有し、したがって、この変形実施形態は、直径の大きいカラムまたはより大きい傾斜を受けるカラムにより適している。たとえば、カラムφの直径は０．５ｍから１０ｍの間の範囲であり、各ランダム充填物の区画Ａの寸法ＬＡ３、ＬＡ４、ＬＡ６は、それぞれ０．２ｍから２．５ｍの間の範囲であり、各構造化充填物の帯状部Ｂの各寸法として、ＬＢ４は０．２ｍから１ｍの間の範囲であり、ＬＢ５およびＬＢ６は０．１ｍから２．５ｍの間の範囲であり、外周部壁ＬＢ３の寸法は０．１ｍから２．５ｍの間の範囲である。
【００４５】
これらの実施形態は、特に、各流体の均一な分布を実現しつつ、接触カラムにおける各充填物部材の実際的な取付けの簡略化を可能にする簡素な構成を実現することを可能にする。
【００４６】
さらに、たとえば、充填物Ｂによって作られ互いに対して４５°に向けられた複数の壁と複数の帯状部の少なくとも一方によって実質的に三角形の各ブロックを画定するか、または図９および図１０の構成を使用し、一方、周辺の構造化充填物の壁を除去するか、または各有孔板と構造化充填物を組み合わせて使用して各区画を仕切ることによって他の実施形態も考えられる。
【００４７】
本発明は、２つの流体間の物質交換および熱交換の少なくとも一方を対象とするカラム１であって、２つの流体が少なくとも１つの気体／液体接触装置３によって接触させられ、カラム１が、少なくとも液体流体用の第１の入口と、少なくとも気体流体用の第２の入口と、少なくとも気体流体用の第１の出口と、少なくとも液体流体用の第２の出口とを有するカラム１にも関する。本発明によれば、接触装置は上記の通りである。さらに、カラム１は、各流体を接触装置３上に分配することを可能にする少なくとも１つの分配トレイを有してもよい。
【００４８】
気体および液体は、向流または並流としてカラム内を循環してもよい。
【００４９】
さらに、本発明は、特に炭化水素を捕捉するための、たとえばＦＰＳＯ型またはＦＬＮＧ型のプラットフォーム、船舶、バージなどの浮体構造に関する。この浮体構造は、本発明による少なくとも１つの物質交換カラムと少なくとも１つの熱交換カラムの少なくとも一方を含む少なくとも１つの炭化水素処理ユニットを有する。
【００５０】
本発明によるカラムは、ガス処理プロセス、ＣＯ２捕捉プロセス（たとえば、アミン洗浄）、蒸留プロセス、または空気転換プロセスにおいて使用されてもよい。
【００５１】
さらに、本発明は任意の溶剤種と一緒に使用されてもよい。
【符号の説明】
【００５２】
１  カラム
３  接触装置
Ａ  ランダム充填物
Ｂ  構造化充填物
φ  カラム
ＬＡ１、ＬＡ２、ＬＡ３、ＬＡ４、ＬＡ５、ＬＡ６、ＬＢ１、ＬＢ２、ＬＢ３、ＬＢ４、ＬＢ５、Ｌｂ６  寸法
【図１】
2015167948.tif 000003
【図２】
2015167948.tif 000004
【図３】
2015167948.tif 000005
【図４】
2015167948.tif 000006
【図５】
2015167948.tif 000007
【図６】
2015167948.tif 000008
【図７】
2015167948.tif 000009
【図８】
2015167948.tif 000010
【図９】
2015167948.tif 000011
【図１０】
2015167948.tif 000012